【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
遊技の制御を行う遊技制御手段と、
遊技制御手段から送信された制御情報に基づいて演出を行う演出制御手段と、
遊技者が表示結果を導出させるために操作する導出操作手段と、
前記遊技制御手段により制御される第１報知手段と、
前記演出制御手段により制御される第２報知手段と、
を備え、
前記第１報知手段及び前記第２報知手段は、いずれも遊技者が遊技を行いながら視認可能であり、
前記遊技制御手段は、
表示結果が導出される前に、導出が許容される表示結果を決定する事前決定手段と、
表示結果を導出する制御を行う手段であって、前記事前決定手段の決定結果が複数種類の特定決定結果のうちいずれかの種類の特定決定結果となった場合において、該特定決定結果の種類に応じた操作態様にて前記導出操作手段が操作されたときに、該特定表示結果の種類に応じた操作態様以外の操作態様にて前記導出操作手段が操作されたときよりも遊技者にとって有利な表示結果を導出する制御を行う導出制御手段と、
前記事前決定手段の決定結果がいずれかの種類の特定決定結果となったときに、該特定決定結果の種類に応じた操作態様に対応する情報を前記第１報知手段に報知させる制御を行う第１報知手段と、
前記事前決定手段の決定結果がいずれかの種類の特定決定結果となったときに、いずれかの種類の特定決定結果となったことが特定可能であるが、該特定決定結果の種類が特定不能であり、かつ該特定決定結果の種類に応じた操作態様が特定不能な第１制御情報を前記演出制御手段に対して送信可能な第１制御情報送信手段と、
前記事前決定手段の決定結果がいずれかの種類の特定決定結果となったときに、該特定決定結果の種類に応じた操作態様を特定可能な第２制御情報を前記演出制御手段に対して送信可能な第２制御情報送信手段と、
を含み、
前記第１制御情報送信手段は、前記特定決定結果の種類に応じた操作態様に対応する情報を前記第１報知手段に報知させる場合にも報知させない場合にも第１制御情報を送信し、
前記第２制御情報送信手段は、前記特定決定結果の種類に応じた操作態様に対応する情報を前記第１報知手段に報知させない場合には第２制御情報を送信せず、前記特定決定結果の種類に応じた操作態様に対応する情報を前記第１報知手段に報知させる場合には第２制御情報を送信し、
前記演出制御手段は、前記第２制御情報を受信したときに、該第２制御情報から特定される特定決定結果の種類に応じた操作態様に対応する情報を前記第２報知手段に報知させる制御を行う第２報知制御手段を含み、
前記遊技制御手段は、制御状態を特定可能な特定制御情報を前記演出制御手段に対して送信可能な特定制御情報送信手段を含み、
前記特定制御情報送信手段は、ゲームの開始に関して前記特定制御情報を前記演出制御手段に対して送信可能であるとともに、ゲームの終了に関して前記特定制御情報を前記演出制御手段に対して送信可能である、スロットマシン。
【手続補正２】
【補正対象書類名】明細書
【補正対象項目名】０００３
【補正方法】変更
【補正の内容】
【０００３】
遊技者に有利な遊技モードとされる特別遊技状態を、単なる抽選処理のみに拠らず発生させることが可能に構成されたスロットマシンがある（例えば、特許文献１参照）。
【手続補正３】
【補正対象書類名】明細書
【補正対象項目名】０００４
【補正方法】変更
【補正の内容】
【０００４】
【特許文献１】特開２００３−６２１６２号公報
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、上述したスロットマシンに鑑み考え出されたものである。
【手続補正６】
【補正対象書類名】明細書
【補正対象項目名】０００７
【補正方法】変更
【補正の内容】
【０００７】
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
遊技の制御を行う遊技制御手段と、
遊技制御手段から送信された制御情報に基づいて演出を行う演出制御手段と、
遊技者が表示結果を導出させるために操作する導出操作手段と、
前記遊技制御手段により制御される第１報知手段と、
前記演出制御手段により制御される第２報知手段と、
を備え、
前記第１報知手段及び前記第２報知手段は、いずれも遊技者が遊技を行いながら視認可能であり、
前記遊技制御手段は、
表示結果が導出される前に、導出が許容される表示結果を決定する事前決定手段と、
表示結果を導出する制御を行う手段であって、前記事前決定手段の決定結果が複数種類の特定決定結果のうちいずれかの種類の特定決定結果となった場合において、該特定決定結果の種類に応じた操作態様にて前記導出操作手段が操作されたときに、該特定表示結果の種類に応じた操作態様以外の操作態様にて前記導出操作手段が操作されたときよりも遊技者にとって有利な表示結果を導出する制御を行う導出制御手段と、
前記事前決定手段の決定結果がいずれかの種類の特定決定結果となったときに、該特定決定結果の種類に応じた操作態様に対応する情報を前記第１報知手段に報知させる制御を行う第１報知手段と、
前記事前決定手段の決定結果がいずれかの種類の特定決定結果となったときに、いずれかの種類の特定決定結果となったことが特定可能であるが、該特定決定結果の種類が特定不能であり、かつ該特定決定結果の種類に応じた操作態様が特定不能な第１制御情報を前記演出制御手段に対して送信可能な第１制御情報送信手段と、
前記事前決定手段の決定結果がいずれかの種類の特定決定結果となったときに、該特定決定結果の種類に応じた操作態様を特定可能な第２制御情報を前記演出制御手段に対して送信可能な第２制御情報送信手段と、
を含み、
前記第１制御情報送信手段は、前記特定決定結果の種類に応じた操作態様に対応する情報を前記第１報知手段に報知させる場合にも報知させない場合にも第１制御情報を送信し、
前記第２制御情報送信手段は、前記特定決定結果の種類に応じた操作態様に対応する情報を前記第１報知手段に報知させない場合には第２制御情報を送信せず、前記特定決定結果の種類に応じた操作態様に対応する情報を前記第１報知手段に報知させる場合には第２制御情報を送信し、
前記演出制御手段は、前記第２制御情報を受信したときに、該第２制御情報から特定される特定決定結果の種類に応じた操作態様に対応する情報を前記第２報知手段に報知させる制御を行う第２報知制御手段を含み、
前記遊技制御手段は、制御状態を特定可能な特定制御情報を前記演出制御手段に対して送信可能な特定制御情報送信手段を含み、
前記特定制御情報送信手段は、ゲームの開始に関して前記特定制御情報を前記演出制御手段に対して送信可能であるとともに、ゲームの終了に関して前記特定制御情報を前記演出制御手段に対して送信可能である、スロットマシン。
他の態様のスロットマシンは、（１）各々が識別可能な複数種類の識別情報を変動表示可能な可変表示部（例えば、リール２Ｌ、２Ｃ、２Ｒ等）を備え、前記可変表示部を変動表示した後に表示結果を導出し、該表示結果に応じて入賞が発生可能なスロットマシン（例えば、スロットマシン１等）において、遊技者が表示結果を導出させるために操作する導出操作手段（例えば、ストップスイッチ８Ｌ、８Ｃ、８Ｒ等）と、前記導出操作手段に対する操作手順の報知を行うことが可能な操作手順報知手段（例えば、７リプ報知などのナビ報知等）と、特定期間（例えば、ＣＺ等）の後に特典（例えば、有利区間等）を付与可能な特典付与手段（例えば、メイン制御部４１等）と、前記特定期間において、特定表示結果（例えば、７リプ等）を導出することにより特典が付与されることを示唆する示唆手段（例えば、サブ制御部９１等）と、前記操作手順報知手段により、特定入賞を発生させる特定入賞表示結果（例えば、押し順ベル等）を導出させるための操作手順の報知（例えば、ナビ報知等）が行われたことを条件に前記特定期間を終了可能な終了手段（例えば、メイン制御部４１等）と、を備え、前記特定表示結果を導出可能なゲームにおいて前記特定表示結果を導出させるための操作手順（例えば、ナビ番号４、６、９等）と、前記特定入賞表示結果を導出可能なゲームにおいて前記特定入賞表示結果を導出させるための操作手順（例えば、ナビ番号４、５、６、７、８、９等）とには、同一の操作手順（例えば、ナビ番号４、６、９等）が含まれ、前記操作手順報知手段は、前記特定表示結果を導出可能なゲームにおいて前記特定表示結果を導出させるための操作手順の報知である特定報知（例えば、７リプ報知等）を行うことが可能であるとともに、前記特定入賞表示結果を導出可能なゲームにおいても前記特定報知を行うことが可能であることを特徴とするスロットマシン。